【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
複数の通信装置と、１以上の通信ケーブルとを備え、
各前記通信装置は、
一対の導体により信号を伝送する内部通信ラインと、
前記内部通信ラインに接続された通信部と、
前記内部通信ラインの一対の導体の間に接続された終端抵抗と、
前記内部通信ラインの一対の導体への前記終端抵抗の接続を有効又は無効にする有効／無効切換回路と、
前記内部通信ラインの一端に接続された通信ライン接続部を含む第１装置側コネクタと、前記内部通信ラインの他端に接続された通信ライン接続部を含む第２装置側コネクタと、を備え、
各前記通信ケーブルは、
一対の導体により信号を伝送する外部通信ラインと、
前記外部通信ラインの一端に接続された通信ライン接続部を含む第１ケーブル側コネクタと、
前記外部通信ラインの他端に接続された通信ライン接続部を含む第２ケーブル側コネクタと、を備え、
前記第１及び第２装置側コネクタ並びに前記第１及び第２ケーブル側コネクタは、前記第１装置側コネクタと前記第１ケーブル側コネクタとが接続されると、前記第１装置側コネクタの前記通信ライン接続部と前記第１ケーブル側コネクタの前記通信ライン接続部とが接続され、且つ、前記第２装置側コネクタと前記第２ケーブル側コネクタとが接続されると、前記第２装置側コネクタの前記通信ライン接続部と前記第２ケーブル側コネクタの前記通信ライン接続部とが接続されるように構成され、
前記有効／無効切換回路は、前記第１及び第２装置側コネクタに、それぞれ、前記第１及び第２ケーブル側コネクタが接続されると、前記内部通信ラインの一対の導体への前記終端抵抗の接続を無効にし、それ以外の場合は、前記内部通信ラインの一対の導体への前記終端抵抗の接続を有効にするよう構成されている、通信システム。
【請求項２】
前記有効／無効切換回路は、前記内部通信ラインの一対の導体への前記終端抵抗の接続を、入力される第１制御信号又は第２制御信号に応じて有効又は無効にするよう構成され、
各前記通信装置は、第１電気接点及び第２電気接点を含み、前記第１電気接点及び前記第２電気接点の少なくとも一方が開くと前記第１制御信号を生成し、前記第１電気接点及び前記第２電気接点の双方が閉じると前記第２制御信号を生成し、生成された前記第１制御信号又は前記第２制御信号を前記有効／無効切換回路に入力する制御回路をさらに備え、
前記第１装置側コネクタは、前記制御回路の前記第１電気接点の一方の接触部材をさらに含み、
前記第１ケーブル側コネクタは、前記制御回路の前記第１電気接点の他方の接触部材をさらに含み、
前記第２装置側コネクタは、前記制御回路の前記第２電気接点の一方の接触部材をさらに含み、
前記第２装ケーブル側コネクタは、前記制御回路の前記第２電気接点の他方の接触部材をさらに含み、
前記第１及び第２装置側コネクタ並びに前記第１及び第２ケーブル側コネクタは、前記第１装置側コネクタと前記第１ケーブル側コネクタとが接続されると、前記第１装置側コネクタの前記通信ライン接続部と前記第１ケーブル側コネクタの前記通信ライン接続部とが接続されるとともに前記第１装置側コネクタの前記第１電気接点の一方の接触部材と前記第１ケーブル側コネクタの前記第１電気接点の他方の接触部材とが接触し、且つ、前記第２装置側コネクタと前記第２ケーブル側コネクタとが接続されると、前記第２装置側コネクタの前記通信ライン接続部と前記第２ケーブル側コネクタの前記通信ライン接続部とが接続されるとともに前記第２装置側コネクタの前記第２電気接点の一方の接触部材と前記第２ケーブル側コネクタの前記第２電気接点の他方の接触部材とが接触するように構成されている、請求項１に記載の通信システム。
【請求項３】
前記有効／無効切換回路は、制御端子にオン電圧が印加されると導通状態になり、前記制御端子に前記オン電圧が印加されないと遮断状態になるスイッチング素子を備え、
前記終端抵抗は、前記スイッチング素子を介して、前記一対の導体に接続され、
前記制御回路は、前記スイッチング素子に前記オン電圧を印加する電圧印加素子と前記電圧印加素子の両端を短絡する短絡電路とをさらに含み、
前記短絡電路に前記第１電気接点と前記第２電気接点とが直列に挿入されており、
前記第１ケーブル側コネクタは前記短絡電路の第１部分を有し、且つ前記第１部分の両端を構成する一対の接触子が前記第１電気接点の他方の接触部材を構成しており、
前記第１装置側コネクタは、前記短絡電路の前記第１部分の両端に対応する一対の端を構成する一対の接触子が前記第１電気接点の一方の接触部材を構成しており、
前記第２ケーブル側コネクタは前記短絡電路の第２部分を有し、且つ前記第２部分の両端を構成する一対の接触子が前記第２電気接点の他方の接触部材を構成しており、
前記第２装置側コネクタは、前記短絡電路の前記第２部分の両端に対応する一対の端を構成する一対の接触子が前記第２電気接点の一方の接触部材を構成しており、
前記第１電気接点が前記一方の接触部材と前記他方の接触部材とが接触して閉じ、且つ前記第２電気接点が前記一方の接触部材と前記他方の接触部材とが接触して閉じると、前記短絡回路が導通する、請求項２に記載の通信システム。
【請求項４】
前記通信装置における前記第１装置側コネクタの構造と前記第２装置側コネクタの構造とが同じであり、前記通信ケーブルにおける前記第１ケーブル側コネクタの構造と前記第２ケーブル側コネクタの構造とが同じである、
請求項１乃至３のいずれかに記載の通信システム。 
【手続補正２】
【補正対象書類名】明細書
【補正対象項目名】００１３
【補正方法】変更
【補正の内容】
【００１３】
上記課題を解決するために、本発明のある態様(aspect)に係る通信システムは、複数の通信装置と、１以上の通信ケーブルとを備え、各前記通信装置は、一対の導体により信号を伝送する内部通信ラインと、前記内部通信ラインに接続された通信部と、前記内部通信ラインの一対の導体の間に接続された終端抵抗と、前記内部通信ラインの一対の導体への前記終端抵抗の接続を有効又は無効にする有効／無効切換回路と、前記内部通信ラインの一端に接続された通信ライン接続部を含む第１装置側コネクタと、前記内部通信ラインの他端に接続された通信ライン接続部を含む第２装置側コネクタと、を備え、各前記通信ケーブルは、一対の導体により信号を伝送する外部通信ラインと、前記外部通信ラインの一端に接続された通信ライン接続部を含む第１ケーブル側コネクタと、前記外部通信ラインの他端に接続された通信ライン接続部を含む第２ケーブル側コネクタと、を備え、前記第１及び第２装置側コネクタ並びに前記第１及び第２ケーブル側コネクタは、前記第１装置側コネクタと前記第１ケーブル側コネクタとが接続されると、前記第１装置側コネクタの前記通信ライン接続部と前記第１ケーブル側コネクタの前記通信ライン接続部とが接続され、且つ、前記第２装置側コネクタと前記第２ケーブル側コネクタとが接続されると、前記第２装置側コネクタの前記通信ライン接続部と前記第２ケーブル側コネクタの前記通信ライン接続部とが接続されるように構成され、前記有効／無効切換回路は、前記第１及び第２装置側コネクタに、それぞれ、前記第１及び第２ケーブル側コネクタが接続されると、前記内部通信ラインの一対の導体への前記終端抵抗の接続を無効にし、それ以外の場合は、前記内部通信ラインの一対の導体への前記終端抵抗の接続を有効にするよう構成されている。
【手続補正３】
【補正対象書類名】明細書
【補正対象項目名】００１８
【補正方法】変更
【補正の内容】
【００１８】
前記有効／無効切換回路は、制御端子にオン電圧が印加されると導通状態になり、前記制御端子に前記オン電圧が印加されないと遮断状態になるスイッチング素子を備え、前記終端抵抗は、前記スイッチング素子を介して、前記一対の導体に接続され、前記制御回路は、前記スイッチング素子に前記オン電圧を印加する電圧印加素子と前記電圧印加素子の両端を短絡する短絡電路とをさらに含み、前記短絡電路に前記第１電気接点と前記第２電気接点とが直列に挿入されており、前記第１ケーブル側コネクタは前記短絡電路の第１部分を有し、且つ前記第１部分の両端を構成する一対の接触子が前記第１電気接点の他方の接触部材を構成しており、前記第１装置側コネクタは、前記短絡電路の前記第１部分の両端に対応する一対の端を構成する一対の接触子が前記第１電気接点の一方の接触部材を構成しており、前記第２ケーブル側コネクタは前記短絡電路の第２部分を有し、且つ前記第２部分の両端を構成する一対の接触子が前記第２電気接点の他方の接触部材を構成しており、前記第２装置側コネクタは、前記短絡電路の前記第２部分の両端に対応する一対の端を構成する一対の接触子が前記第２電気接点の一方の接触部材を構成しており、  前記第１電気接点が前記一方の接触部材と前記他方の接触部材とが接触して閉じ、且つ前記第２電気接点が前記一方の接触部材と前記他方の接触部材とが接触して閉じると、前記短絡回路が導通してもよい。
【手続補正４】
【補正対象書類名】明細書
【補正対象項目名】００４７
【補正方法】変更
【補正の内容】
【００４７】
図１及び図２を参照すると、有効／無効切換回路５は、制御端子にオン電圧が印加されると導通状態になり、制御端子にオン電圧が印加されないと遮断状態になるスイッチング素子５１を備える。スイッチング素子５１は、例えば、一対のフォトＭＯＳＦＥＴで構成される。一対のフォトＭＯＳＦＥＴは、２つのフォトＭＯＳＦＥＴが、それぞれのソースが互いに接続され、それぞれのドレインが、終端抵抗４を内部通信ライン３に接続する電路の両端に接続されるように構成される。一対のダイオードは、それぞれ、一対のフォトＭＯＳＦＥＴの寄生ダイオードである。スイッチング素子５１は、終端抵抗４を流れる交流電流（交流信号）をオン・オフ（遮断及び通流）する必要があるが、１つのフォトＭＯＳＦＥＴだけでは、逆バイアス時に寄生ダイオードが導通するので、交流電流をオフできない。しかし、ここでは、スイッチング素子５１として、上述のように構成された一対のフォトＭＯＳＦＥＴが用いられるので、終端抵抗４を流れる交流電流をオン・オフすることができる。